(57)【要約】【課題】  異なる電圧仕様のラインに接続し、電源をオンすることにより機器が破損することが防止する。【解決手段】  主電源と補助電源を有し、補助電源から電力を供給される制御手段、商用電源電圧検知手段を有し、制御手段は主電源のオン・オフ手段を備え、基本装置の補助電源の電圧仕様をワイド入力仕様とし、主電源の電圧仕様を識別する手段を設け、概識別手段により主電源電圧仕様と商用電源電圧の適合を判断し、その結果により主電源の電源オンの可否を判断し、適合する場合のみ主電源の電源をオンする。【選択図】  図５
2008030229.tif 000002
【特許請求の範囲】
【請求項１】
基本装置は、主電源と補助電源を有し、補助電源から電力を供給される制御手段、商用電源電圧検知手段を有し、制御手段は主電源のオン・オフ手段を備え、基本装置の補助電源の電圧仕様をワイド入力仕様とし、主電源の電圧仕様を識別する手段を設け、概識別手段により主電源電圧仕様と商用電源電圧の適合を判断し、その結果により主電源の電源オンの可否を判断し、適合する場合のみ主電源の電源をオンすることを特徴とする電源制御装置。
【請求項２】
請求項１の電源制御装置を備えた画像形成装置。
【請求項３】
基本装置は、基本装置に少なくとも1つ以上の付属装置が接続可能で、付属装置は基本装置からのオン・オフ信号により、その電源ラインのオン・オフ手段を備える。また、基本装置と付属装置の接続信号に、電源電圧仕様を識別する手段を備え、概識別手段により付属装置の電源電圧仕様と商用電源電圧の適合を判断し、その結果により付属装置の電源オンの可否を判断し、適合する場合のみ付属装置の電源の電源をオンすることを特徴とする請求項１の電源制御装置。
【請求項４】
請求項３の電源制御装置を備えた画像形成装置。
【発明の詳細な説明】
【技術分野】
【０００１】
本発明は、例えば、電源電圧仕様の異なる商用電源ラインに接続され、電源スイッチをONされた場合に、機器の破損を防止する方法に関するものである。
【背景技術】
【０００２】
近年、低圧電源のワイド入力仕様により、どの国での使用可能になるパーソナルコンピュータ（PC）などが増えている。しかし、PCに比べて電力の大きい静電式プリンタなどは電圧仕様を有するものが多い。また、プリンタは付属装置の接続によるシステムアップが可能であり、付属装置は、付属装置自身も商用電源に接続される電源を有する場合がある。
【０００３】
従来例としては、例えば特許文献１と特許文献２と特許文献３と特許文献４をあげることが出来る。
【特許文献１】特開平７−１５２５９３号公報
【特許文献２】特開平８−１４７０７５号公報
【特許文献３】特開平８−３１８６６５号公報
【特許文献４】特開２０００−１７２３４８号公報
【発明の開示】
【発明が解決しようとする課題】
【０００４】
電圧仕様の異なる地域でのプリンタの移動や、複数の電圧が使用されている地域で異なる電圧仕様のラインに接続し、電源をオンすることにより機器が破損することが発生している。
【０００５】
特に100V系仕様の機器を200V系の電源ラインに接続し、電源スイッチをONした際にスイッチング電源の平滑コンデンサ（アルミ電界コンデンサ）に過電圧が印加されると、安全装置が作動し（又はゴムパッキングが飛び出し）、コンデンサの内部の電解液が外部に拡散してドライアップに至り、オープン状態となります。更に、電解液によるショートなどの故障を引き起こし機器へのダメージを大きくする要因となっている。
【０００６】
低圧電源をワイド入力化することにより、対応することは可能となるが、電力の大きい電源をワイド入力仕様にするためには、部品コストがかかり、製品コストを上げてしまうことになる。
【課題を解決するための手段】
【０００７】
上記問題を解決する為に、請求項１、２記載の本発明によれば、
主電源と補助電源を有し、補助電源にから電力を供給される制御手段、商用電源電圧検知手段を有し、制御手段は主電源のオン・オフ手段を備え、基本装置の補助電源の電圧仕様をワイド入力仕様とし、主電源の電圧仕様を識別する手段を設け、概識別手段により主電源電圧仕様と商用電源電圧の適合を判断し、その結果により主電源の電源オンの可否を判断することにより、機器の破損を防止することが可能となる。
【０００８】
さらに、請求項３、４記載の本発明によれば、
基本装置は、基本装置に少なくとも1つ以上の付属装置が接続可能で、付属装置は基本装置からのオン・オフ信号により、その電源ラインのオン・オフ手段を備える。また、基本装置と付属装置の接続信号に、電源電圧仕様を識別する手段を備え、概識別手段により付属装置の電源電圧仕様と商用電源電圧の適合を判断し、その結果により付属装置の電源オンの可否を判断することにより、機器およびシステムの破損を防止することが可能となる。
【発明の効果】
【０００９】
以上説明したように、本発明によれば、主電源と補助電源を有する基本装置、および電源を有する付属装置で構成されるシステムにおいて、電圧仕様の異なる地域でのプリンタの移動や、複数の電圧が使用されている地域で異なる電圧仕様のラインに接続し、電源をオンすることにより機器が破損することが防止することが出来る。
【００１０】
また、製品コストを大きく上げてしまうこと無く、機器およびシステムの破損を防止することが可能となる。
【発明を実施するための最良の形態】
【００１１】
（第１の実施例）
以下、本発明の実施の形態を添付図面に基づいて説明する。
【００１２】
まず、本発明の第１の実施形態を図１により説明する。図１に、本実施形態の概略構成図を示す。本図ではレーザビームプリンタの場合を示してある。以下、本実施例の構成および動作について説明する。
【００１３】
レーザビームプリンタ本体１は、記録紙Sのいずれか（以下、単に記録紙Sという。）に画像を形成する。そのため、記録紙Sを繰り出す給紙ローラ１０３（以下、単に給紙ローラ１０３という。）を設けてある。また、外部装置（図示せず）から送出される画像信号に基づいて発光するレーザ（不図示）からの光を感光ドラム１０８上に走査するためのポリゴンモータ(不図示)を設けてある。さらに。公知の電子写真プロセスに必要な帯電部、現像部、転写部を設けてある。また、記録紙Sの搬送状況を確認するための給紙センサと、画像のタイミングをとるためのトップセンサを設けてある。
【００１４】
記録紙S上の画像を定着するための定着ローラ１１２と、定着の終了した記録紙Sを排出するための排紙ローラ１１５を設けてある。記録紙２は、トレイ１８上に積載される。また、定着ローラ１５における記録紙Sの搬送状況を確認するために、排紙センサを設けてある。さらに、上述の紙搬送経路とは別に、手差し給紙を行うために、手差しローラ(不図示)を設けてある。
【００１５】
図２に基本装置の低圧電源部の概略構成図を示す。プリンタ本体１は、制御系に電力を供給する電源120aと主に駆動系に電力を供給する電源120bを備えていて、駆動系電源120bは、ON/OFF手段(例えば、リレー124)を有し、制御系電源から電力を供給される制御回路120aによりON/OFF機能はコントロールされる。また、制御系電源120aには電圧検知回路121が設けられている。
【００１６】
電圧検知回路の一例を、図3に示す。商用AC電源は、ダイオードD301、D302によって半波整流され、抵抗R301、R302、R303によって分圧され、C301によって平滑され電圧Vaとなる。この電圧Vaは、
Va ＝ R303/（R301+R302+R303）ｘVac x √2
の関係となり、コンパレータIC301に入力される。
【００１７】
また、補助電源で作られる駆動制御部の電源電圧から供給を受けたVdc-pからR303を介して、ツェナーダイオードD303から作られる基準電圧Vbは、コンパレータIC301の他方に入力され比較される。基準電圧VbとVaとの関係は、
AC電圧が100V系電圧範囲（100〜140Ｖ）のとき
Va  ＜  Vb
200V系電圧範囲（200〜240V）のとき
Va  ＞  Vb
AC入力が約170Vの時
Va  ≒  Vb
となる。コンパレータIC301の出力は、フォトカプラPC301を介して、2次側の信号ACTYPとして制御部へ伝えられる。ACTYP信号は、商用電源電圧の識別信号として扱われる。
【００１８】
電圧検知回路の出力は制御回路122に接続されており、制御回路内の不図示の中央演算装置（以下CPUと呼ぶ）により、判断および処理され、駆動系電源120bをON/OFFしている。
【００１９】
駆動系電源120bの電圧仕様も同様にCPUに接続されており、判断および処理される。たとえば、電圧仕様は、信号ラインが非接続状態、または、接地状態であることによって識別される。
【００２０】
例えば、識別信号ラインが１ラインの場合は、識別信号は１ビットとなり下記に1例を示す。
【００２１】
0：100V仕様
1：200V仕様
図４にフローチャートを示す。
【００２２】
補助電源のスイッチがONされた後、フローはスタートする。（S101）
S102で商用電源の電圧識別信号ACTYPが読み込まれ、S103で電源電圧仕様識別信号が読み込まれ、駆動系電源120bの電圧仕様が適合したと判断されると（S104）主電源の入力ラインに設けられているリレー124がオンされる（S105）。
【００２３】
非適合と判断されると、リレー124はオンせずに、不図示の表示装置にエラー表示を行ない、ユーザーへの警告を行なう（S106）。
【００２４】
上述した実施例１に特有の効果は、以下に述べる通りである。
【００２５】
（１）複数電源を有する機器において、電圧仕様の異なる地域でのプリンタの移動や、複数の電圧が使用されている地域で異なる電圧仕様のラインに接続し、電源をオンすることにより機器が破損することを防止出来る。
【００２６】
（２）また、機器の電圧仕様が正しくないことをユーザーに警告可能となる。
【００２７】
（第２の実施例）
以下に述べる実施例２の形態を図５を用いて説明する。
【００２８】
プリンタ本体１に対して、給紙用オプション装置（以下、単に給紙オプションという。）１３０を接続してある。給紙オプション１３０と本体１は、オプション接続ケーブルで接続する。その他の給紙オプションの接続にも同一形状・構成のオプション接続ケーブルを使用する。また、給紙オプション１３０は、電源１３１を持っている。
【００２９】
図５は、プリンタ本体１および給紙オプション１３０内部にある電源１３１と、接続ケーブルとの接続関係を示した図である。この図５に示すとおり、プリンタ本体１の内部には、画像形成の制御と給紙オプション１３０を制御するＣＰＵ(不図示)がある。ＣＰＵはＯＵＴＰＵＴポートを持ち、給紙オプション１３０に対してＰＯＷＥＲ−ＯＮ信号を出力する。接続ケーブルの中には、ＰＯＷＥＲ−ＯＮ信号を伝送するためのライン、給紙オプションの電圧仕様識別符号（以下IDと呼ぶ）のための複数のラインと給電ラインと給紙オプションの動作制御に必要なコントロールライン（図示せず）がある。たとえば、IDは、信号ラインが非接続状態、または、接地状態であることによって識別される。
【００３０】
例えば、識別信号ラインが１ラインの場合は、識別信号は１ビットとなり下記に1例を示す。
【００３１】
0：100V仕様
1：200V仕様
この識別信号は、給紙オプションの電圧仕様識別信号として扱われる。
【００３２】
給紙オプションは、プリンタ本体からのPOWER-ON信号により、リレー132がON/OFFされることにより、給紙オプションの電源がON/OFFとなる。
【００３３】
図6にフローチャートを示す。
【００３４】
補助電源のスイッチがONされた後、フローはスタートする。（S201）
S202で商用電源の電圧識別信号ACTYPが読み込まれ、S203で電源電圧仕様識別信号が読み込まれ、駆動系電源120bの電圧仕様が適合したと判断されると（S204）駆動系電源120bの入力ラインに設けられているリレー124がオンされる（S205）。
【００３５】
非適合と判断されると、リレー124はオンせずに、不図示の表示装置にエラー表示を行ない、ユーザーへの警告を行なう（S206）。
【００３６】
次に、付属装置（給紙オプション装置等の付属装置）130の有無を判断する（S207）。有りと判断されると、付属装置の電源電圧仕様識別信号の読込が行なわれる（S208）。無しと判断されるとこの処理は終了される。ステップS209では、付属装置の電源電圧仕様識別信号の適合が判断されると、付属装置のリレー132がONされる。
【００３７】
上述した実施例2に特有の効果は、以下に述べる通りである。
【００３８】
(１)複数電源を有するシステムにおいて、電圧仕様の異なる地域でのプリンタの移動や、複数の電圧が使用されている地域で異なる電圧仕様のラインに接続し、電源をオンすることにより機器が破損することを防止出来る。
【００３９】
また、機器の電圧仕様が正しくないことをユーザーに警告可能となる。
【００４０】
（２）付属装置（給紙オプション装置など）の電圧仕様のみが異なる場合は、プリンタ本体だけを動作させることが可能となる。
【００４１】
上記の説明以外にも、各接続ケーブルの中には識別信号を伝送するラインを無くし、その替わり、オプションの制御回路への給電ラインを有し、付属装置の制御回路とのコマンドによる通信により、識別信号（ID）を送受し、行なうことも可能である。
【図面の簡単な説明】
【００４２】
【図１】本発明のレーザプリンタを示す概略構成図である。
【図２】第1の実施例の基本装置の低圧電源部を示す概略構成図である。
【図３】第1の実施例のAC電圧検知回路の一例を示す回路図である。
【図４】第１の実施形態のフローチャートである。
【図５】第2の実施形態の基本装置と付属装置の低圧電源部を示す概略構成図である。
【図６】第2の実施形態のフローチャートである。
【符号の説明】
【００４３】
１０１  レーザプリンタ本体
１１１  定着器
１１２  ヒータユニット
１２０ｂ  低圧電源（主電源）
１２０a  低圧電源（補助電源）
１２１  AC電圧検知回路
１３１  付属装置低圧電源
【図１】
2008030229.tif 000003
【図２】
2008030229.tif 000004
【図３】
2008030229.tif 000005
【図４】
2008030229.tif 000006
【図５】
2008030229.tif 000007
【図６】
2008030229.tif 000008